【手続補正書】
【提出日】平成29年7月11日(2017.7.11)
【手続補正１】
【補正対象書類名】特許請求の範囲
【補正対象項目名】全文
【補正方法】変更
【補正の内容】
【特許請求の範囲】
【請求項１】
物体の移動を検出するための磁界センサーであって、前記物体は、複数の物体特徴を有しており、前記物体特徴の量は、物体特徴の可能量のセットに属しており、前記セットは、物体特徴の可能量の最小公倍数を有しており、前記磁界センサーは、
磁界センシングエレメントであって、物体特徴が前記磁界センシングエレメントのそばを通過するときに、前記物体特徴に反応する磁界信号を発生させるためのものであり、前記磁界信号は、複数の磁界信号サイクルを含み、前記複数の磁界信号サイクルのそれぞれ１つが、前記磁界センシングエレメントのそばを通過する前記複数の物体特徴のそれぞれ１つを示しており、前記複数の磁界信号サイクルは、現在の磁界信号サイクルおよび複数の過去の磁界信号サイクルを含む、磁界センシングエレメントと、
モーション検出器であって、前記磁界センシングエレメントに連結されており、また、前記物体の前記移動を示すモーション信号を発生させるように構成されており、前記モーション信号は、複数の上昇するエッジおよび複数の下降するエッジを有しており、それぞれの上昇するエッジおよびそれぞれの下降するエッジは、前記複数の磁界信号サイクルのそれぞれ１つに関連付けされている、モーション検出器と
を含み、前記モーション検出器は、
ピーク識別回路であって、前記磁界信号の複数のプラスのピークまたは前記磁界信号の複数のマイナスのピークのうちの少なくとも１つを識別し、前記磁界信号の前記複数のプラスのピークまたは前記磁界信号の前記複数のマイナスのピークのうちの前記少なくとも１つを示すピーク信号を提供するためのものである、ピーク識別回路と、
サンプル選択回路モジュールであって、前記ピーク信号に関連しているピーク関連の信号を受信するように連結されており、また、前記ピーク関連の信号の複数のサンプルを記憶するように構成されており、前記サンプル選択回路モジュールは、前記記憶された複数のサンプルから、前記ピーク関連の信号の記憶されたサンプルをシーケンシャルに呼び出し、サンプリングされた信号を発生させるようにさらに構成されており、前記サンプリングされた信号の中のそれぞれシーケンシャルに選択された記憶されたサンプルは、前記物体特徴の前記可能量の前記最小公倍数の整数倍に等しい量の以前のサイクルだけ前に起こった前記磁界信号の複数の以前のサイクルのそれぞれ１つに関連付けされている、サンプル選択回路モジュールと、
コンパレーターであって、前記サンプリングされた信号に関連している信号を受信するように連結されており、前記磁界信号を受信するように連結されており、前記モーション信号を発生させるために、前記サンプリングされた信号に関連している前記信号と前記磁界信号を比較するように構成されている、コンパレーターと
を含む、磁界センサー。
【請求項２】
請求項１に記載の磁界センサーであって、前記最小公倍数が１２である、磁界センサー。
【請求項３】
請求項１に記載の磁界センサーであって、前記磁界センサーが、
閾値ジェネレーターであって、前記サンプリングされた信号を受信するように連結されており、また、前記サンプリングされた信号を使用し、前記サンプリングされた信号に関連している前記信号を閾値信号として発生させるように構成されており、前記閾値信号は、前記磁界信号の前記複数のプラスのピークと、前記磁界信号の前記複数のマイナスのピークのうちの選択されたものとの間の差の所定のパーセンテージである、閾値ジェネレーター
をさらに含む、磁界センサー。
【請求項４】
請求項１に記載の磁界センサーであって、前記記憶されたピーク信号が、前記磁界信号の前記複数のプラスのピークのうちの前記少なくとも１つを示しており、前記磁界センサーが、
閾値ジェネレーターであって、前記サンプリングされた信号を受信するように連結されており、また、前記サンプリングされた信号を使用し、前記サンプリングされた信号に関連している前記信号を閾値信号として発生させるように構成されており、前記閾値信号は、前記磁界信号の前記複数のプラスのピークと、前記磁界信号の前記複数のマイナスのピークのうちの選択されたものの組合せとの間の差の所定のパーセンテージである、閾値ジェネレーター
をさらに含む、磁界センサー。
【請求項５】
請求項１に記載の磁界センサーであって、前記記憶されたピーク信号が、前記磁界信号の前記複数のマイナスのピークのうちの前記少なくとも１つを示しており、前記磁界センサーが、
閾値ジェネレーターであって、前記サンプリングされた信号を受信するように連結されており、また、前記サンプリングされた信号を使用し、前記サンプリングされた信号に関連している前記信号を閾値信号として発生させるように構成されており、前記閾値信号は、前記磁界信号の前記複数のプラスのピークのうちの選択されたものの組合せと、前記磁界信号の前記複数のマイナスのピークとの間の差の所定のパーセンテージである、閾値ジェネレーター
をさらに含む、磁界センサー。
【請求項６】
請求項１に記載の磁界センサーであって、前記磁界センサーが、
閾値ジェネレーターであって、前記ピーク信号を受信するように連結されており、また、前記ピーク関連の信号を閾値信号として発生させるように構成されており、前記閾値信号は、前記磁界信号の前記複数のプラスのピークのそれぞれ１つと、前記磁界信号の前記複数のマイナスのピークの選択されたものとの間の値を含む、閾値ジェネレーター
をさらに含む、磁界センサー。
【請求項７】
請求項１に記載の磁界センサーであって、前記サンプリングされた信号が、複数のサンプリングされた信号のうちの１つであり、それぞれのサンプリングされた信号は、前記物体特徴の前記可能量の前記最小公倍数の異なる整数倍に等しい量の以前のサイクルだけ前にそれぞれ起こっている前記磁界信号の前記複数の以前のサイクルの異なるそれぞれ１つに関連付けされており、前記モーション検出器が、
関数プロセッサーであって、前記複数のサンプリングされた信号の中の前記サンプルの選択されたものを組み合わせ、前記サンプリングされた信号に関連している前記信号を、組み合わせられた信号として発生させるように構成されている、関数プロセッサー
をさらに含む、磁界センサー。
【請求項８】
請求項７に記載の磁界センサーであって、前記関数プロセッサーが、前記複数のサンプリングされた信号の中の前記サンプルのうちの前記選択されたものを平均し、前記サンプリングされた信号を、平均化された信号として発生させるように構成されている、磁界センサー。
【請求項９】
請求項７に記載の磁界センサーであって、前記磁界センサーが、
閾値ジェネレーターであって、前記組み合わせられた信号を受信するように連結されており、また、前記組み合わせられた信号を使用し、前記サンプリングされた信号に関連している前記信号を閾値信号として発生させるように構成されており、前記閾値信号は、前記磁界信号の前記複数のプラスのピークと、前記磁界信号の前記複数のマイナスのピークのうちの選択されたものとの間の差の所定のパーセンテージである、閾値ジェネレーター
をさらに含む、磁界センサー。
【請求項１０】
請求項７に記載の磁界センサーであって、前記記憶されたピーク信号が、前記磁界信号の前記複数のプラスのピークのうちの前記少なくとも１つを示しており、前記磁界センサーが、
閾値ジェネレーターであって、前記サンプリングされた信号を受信するように連結されており、また、前記サンプリングされた信号を使用し、前記サンプリングされた信号に関連している前記信号を閾値信号として発生させるように構成されており、前記閾値信号は、前記磁界信号の前記複数のプラスのピークと、前記磁界信号の前記複数のマイナスのピークのうちの選択されたものの組合せとの間の差の所定のパーセンテージである、閾値ジェネレーター
をさらに含む、磁界センサー。
【請求項１１】
請求項７に記載の磁界センサーであって、前記記憶されたピーク信号が、前記磁界信号の前記複数のマイナスのピークのうちの前記少なくとも１つを示しており、前記磁界センサーが、
閾値ジェネレーターであって、前記サンプリングされた信号を受信するように連結されており、また、前記サンプリングされた信号を使用し、前記サンプリングされた信号に関連している前記信号を閾値信号として発生させるように構成されており、前記閾値信号は、前記磁界信号の前記複数のプラスのピークのうちの選択されたものの組合せと、前記磁界信号の前記複数のマイナスのピークとの間の差の所定のパーセンテージである、閾値ジェネレーター
をさらに含む、磁界センサー。
【請求項１２】
請求項１１に記載の磁界センサーであって、前記関数プロセッサーが、前記複数のサンプリングされた信号の中の前記サンプルのうちの前記選択されたものを平均し、前記サンプリングされた信号を、平均化された信号として発生させるように構成されている、磁界センサー。
【請求項１３】
請求項７に記載の磁界センサーであって、前記磁界センサーが、
閾値ジェネレーターであって、前記ピーク信号を受信するように連結されており、また、前記ピーク関連の信号を閾値信号として発生させるように構成されており、前記閾値信号は、前記磁界信号の前記複数のプラスのピークのそれぞれ１つと、前記磁界信号の前記複数のマイナスのピークのうちの選択されたものとの間の値を含む、閾値ジェネレーター
をさらに含む、磁界センサー。
【請求項１４】
請求項１３に記載の磁界センサーであって、前記関数プロセッサーが、前記複数のサンプリングされた信号の中の前記サンプルのうちの前記選択されたものを平均し、前記サンプリングされた信号を、平均化された信号として発生させるように構成されている、磁界センサー。
【請求項１５】
請求項１に記載の磁界センサーであって、前記磁界センサーが、誤差プロセッサーをさらに含み、前記誤差プロセッサーは、前記ピーク関連の信号を受信するように連結されており、また、前記サンプリングされた信号を受信するように連結されており、
前記ピーク関連の信号の値および前記サンプリングされた信号の値が、所定の量よりも大きく異なる場合には、前記誤差プロセッサーが、誤差条件を示す所定の状態を有する誤差信号を発生させるように構成されている、磁界センサー。
【請求項１６】
請求項１５に記載の磁界センサーであって、前記磁界センサーが、
調節プロセッサーであって、前記誤差信号を受信するように連結されており、また、前記誤差条件に応答して、前記サンプル選択回路モジュールは、前記ピーク関連の信号を、前記サンプリングされた信号として提供するように構成されている、調節プロセッサー
をさらに含む、磁界センサー。
【請求項１７】
請求項１５に記載の磁界センサーであって、前記磁界センサーが、
調節プロセッサーであって、前記誤差信号を受信するように連結されており、また、前記誤差条件に応答して、前記サンプル選択回路モジュールが、前記最小公倍数の値を変化させるように構成されている、調節プロセッサー
をさらに含む、磁界センサー。
【請求項１８】
請求項１に記載の磁界センサーであって、前記磁界センサーが、
物体特徴量検出プロセッサーであって、前記モーション信号を受信するように構成されており、また、前記物体上の物体特徴の前記量を示す物体特徴値の量を計算するように構成されており、前記サンプル選択回路モジュールは、物体特徴値の前記量に従って、前記最小公倍数の値を変化させるように構成されている、物体特徴量検出プロセッサー
をさらに含む、磁界センサー。
【請求項１９】
物体の移動を検出する方法であって、前記物体は、複数の物体特徴を有しており、前記物体特徴の量は、物体特徴の可能量のセットに属しており、前記セットは、物体特徴の可能量の最小公倍数を有しており、前記方法は、
前記物体に関連付けされる磁界に比例する磁界信号を発生させるステップであって、前記磁界信号は、複数の磁界信号サイクルを含み、前記複数の磁界信号サイクルのそれぞれ１つが、磁界センシングエレメントのそばを通過する前記複数の物体特徴のそれぞれ１つを示しており、前記複数の磁界信号サイクルは、現在の磁界信号サイクルおよび複数の過去の磁界信号サイクルを含む、ステップと、
前記物体の前記移動を示すモーション信号を発生させるステップであって、前記モーション信号は、複数の上昇するエッジおよび複数の下降するエッジを有しており、それぞれの上昇するエッジおよびそれぞれの下降するエッジは、前記複数の磁界信号サイクルのそれぞれ１つに関連付けされている、ステップと
を含み、前記モーション信号を発生させる前記ステップは、
前記磁界信号の複数のプラスのピークまたは前記磁界信号の複数のマイナスのピークのうちの少なくとも１つを識別し、前記磁界信号の前記複数のプラスのピークまたは前記磁界信号の前記複数のマイナスのピークのうちの前記少なくとも１つを示すピーク信号を提供するステップと、
ピーク関連の信号の複数のサンプルを記憶するステップと、
前記記憶された複数のサンプルから、前記ピーク関連の信号の記憶されたサンプルをシーケンシャルに呼び出し、サンプリングされた信号を発生させるステップであって、前記サンプリングされた信号の中のそれぞれシーケンシャルに選択された記憶されたサンプルは、前記物体特徴の前記可能量の前記最小公倍数の整数倍に等しい量の以前のサイクルだけ前に起こった前記磁界信号の複数の以前のサイクルのそれぞれ１つに関連付けされている、ステップと、
前記モーション信号を発生させるために、前記サンプリングされた信号に関連している信号と前記磁界信号を比較するステップと
を含む、方法。
【請求項２０】
請求項１９に記載の方法であって、前記最小公倍数が１２である、方法。
【請求項２１】
請求項１９に記載の方法であって、前記方法が、
前記サンプリングされた信号を使用し、前記サンプリングされた信号に関連している前記信号を閾値信号として発生させるステップであって、前記閾値信号は、前記磁界信号の前記複数のプラスのピークと、前記磁界信号の前記複数のマイナスのピークのうちの選択されたものとの間の差の所定のパーセンテージである、ステップ
をさらに含む、方法。
【請求項２２】
請求項１９に記載の方法であって、前記記憶されたピーク信号が、前記磁界信号の前記複数のプラスのピークのうちの前記少なくとも１つを示しており、前記磁界センサーが、
前記サンプリングされた信号を使用し、前記サンプリングされた信号に関連している前記信号を閾値信号として発生させるステップであって、前記閾値信号は、前記磁界信号の前記複数のプラスのピークと、前記磁界信号の前記複数のマイナスのピークのうちの選択されたものの組合せとの間の差の所定のパーセンテージである、ステップ
をさらに含む、方法。
【請求項２３】
請求項１９に記載の方法であって、前記記憶されたピーク信号が、前記磁界信号の前記複数のマイナスのピークのうちの前記少なくとも１つを示しており、前記方法が、
前記サンプリングされた信号を使用し、前記サンプリングされた信号に関連している前記信号を閾値信号として発生させるステップであって、前記閾値信号は、前記磁界信号の前記複数のプラスのピークのうちの選択されたものの組合せと、前記磁界信号の前記複数のマイナスのピークとの間の差の所定のパーセンテージである、ステップ
をさらに含む、方法。
【請求項２４】
請求項１９に記載の方法であって、前記方法が、
前記ピーク関連の信号を閾値信号として発生させるステップであって、前記閾値信号は、前記磁界信号の前記複数のプラスのピークのそれぞれ１つと、前記磁界信号の前記複数のマイナスのピークの選択されたものとの間の値を含む、ステップ
をさらに含む、方法。
【請求項２５】
請求項１９に記載の方法であって、前記サンプリングされた信号が、複数のサンプリングされた信号のうちの１つであり、それぞれのサンプリングされた信号は、前記物体特徴の前記可能量の前記最小公倍数の異なる整数倍に等しい量の以前のサイクルだけ前にそれぞれ起こっている前記磁界信号の前記複数の以前のサイクルの異なるそれぞれ１つに関連付けされており、前記方法が、
前記複数のサンプリングされた信号の中の前記サンプルの選択されたものを組み合わせ、前記サンプリングされた信号に関連している前記信号を、組み合わせられた信号として発生させるステップ
をさらに含む、方法。
【請求項２６】
請求項２５に記載の方法であって、組み合わせる前記ステップが、前記複数のサンプリングされた信号の中の前記サンプルのうちの前記選択されたものを平均し、前記サンプリングされた信号を、平均化された信号として発生させるステップを含む、方法。
【請求項２７】
請求項２５に記載の方法であって、前記方法が、
前記組み合わせられた信号を使用し、前記サンプリングされた信号に関連している前記信号を閾値信号として発生させるステップであって、前記閾値信号は、前記磁界信号の前記複数のプラスのピークと、前記磁界信号の前記複数のマイナスのピークのうちの選択されたものとの間の差の所定のパーセンテージである、ステップ
をさらに含む、方法。
【請求項２８】
請求項２５に記載の方法であって、前記記憶されたピーク信号が、前記磁界信号の前記複数のプラスのピークのうちの前記少なくとも１つを示しており、前記方法が、
前記サンプリングされた信号を使用し、前記サンプリングされた信号に関連している前記信号を閾値信号として発生させるステップであって、前記閾値信号は、前記磁界信号の前記複数のプラスのピークと、前記磁界信号の前記複数のマイナスのピークのうちの選択されたものの組合せとの間の差の所定のパーセンテージである、ステップ
をさらに含む、方法。
【請求項２９】
請求項２５に記載の方法であって、前記記憶されたピーク信号が、前記磁界信号の前記複数のマイナスのピークのうちの前記少なくとも１つを示しており、前記方法が、
前記サンプリングされた信号を使用し、前記サンプリングされた信号に関連している前記信号を閾値信号として発生させるステップであって、前記閾値信号は、前記磁界信号の前記複数のプラスのピークのうちの選択されたものの組合せと、前記磁界信号の前記複数のマイナスのピークとの間の差の所定のパーセンテージである、ステップ
をさらに含む、方法。
【請求項３０】
請求項２９に記載の方法であって、組み合わせる前記ステップが、前記複数のサンプリングされた信号の中の前記サンプルのうちの前記選択されたものを平均し、前記サンプリングされた信号を、平均化された信号として発生させるステップを含む、方法。
【請求項３１】
請求項２５に記載の方法であって、前記方法が、
前記ピーク関連の信号を閾値信号として発生させるステップであって、前記閾値信号は、前記磁界信号の前記複数のプラスのピークのそれぞれ１つと、前記磁界信号の前記複数のマイナスのピークのうちの隣接するそれぞれのものとの間の値を含む、ステップ
をさらに含む、方法。
【請求項３２】
請求項３１に記載の方法であって、組み合わせる前記ステップが、前記複数のサンプリングされた信号の中の前記サンプルのうちの前記選択されたものを平均し、前記サンプリングされた信号を、平均化された信号として発生させるステップを含む、方法。
【請求項３３】
請求項１９に記載の方法であって、前記方法が、
前記ピーク関連の信号の値および前記サンプリングされた信号の値が、所定の量よりも大きく異なる場合には、誤差条件を示す所定の状態を有する誤差信号を発生させるステップ
をさらに含む、方法。
【請求項３４】
請求項３３に記載の方法であって、前記方法が、
前記誤差条件に応答して、前記ピーク関連の信号を、前記サンプリングされた信号として提供するステップ
をさらに含む、方法。
【請求項３５】
請求項３３に記載の方法であって、前記方法が、
前記誤差条件に応答して、前記最小公倍数の値を変化させるステップ
をさらに含む、方法。
【請求項３６】
請求項１９に記載の方法であって、前記方法が、
前記物体上の物体特徴の前記量を示す物体特徴値の量を計算するステップと、
物体特徴値の前記量に従って、前記最小公倍数の値を変化させるステップと
をさらに含む、方法。